(57)【要約】【課題】コネクタの接続部に備えられた複数のドレインコンタクトを通電可能にするコモンコンタクトを所定の箇所に配置する。【解決手段】接続部１に備えられたコンタクト支持部材３に複数のドレインコンタクト５、７、９等が支持されている。このドレインコンタクト５、７、９等の面１７上にそれぞれ溝部１９等が設けられている。このドレインコンタクト５、７、９等の所定の位置に設けられたそれぞれの溝部に固定された棒状のコモンコンタクト１５によりドレインコンタクト５、７、９等を通電させるとともにこれらのドレインコンタクト５、７、９等を固定する。【選択図】　　　図１
2004079376.tif 000002
【特許請求の範囲】
【請求項１】
ドレインコンタクトと、シグナルコンタクトとを接続部に複数備えたコネクタにおいて、
前記ドレインコンタクトと、前記シグナルコンタクトとはそれぞれ前記接続部に設けられたコンタクト支持部材により支持され、前記各々のドレインコンタクト同士は、棒状の導体であるコモンコンタクトにドレインコンタクト上の所定の箇所で一体的に接続されることを特徴とするコネクタ。
【請求項２】
前記コモンコンタクトが接触する前記ドレインコンタクトの所定の箇所に溝部を設けたことを特徴とする請求項１記載のコネクタ。
【請求項３】
ドレインコンタクトと、シグナルコンタクトとを接続部に複数備えたコネクタにおいて、
前記ドレインコンタクトと、前記シグナルコンタクトとはそれぞれ前記接続部に設けられたコンタクト支持部材により支持され、
棒状の導体であるコモンコンタクトはドレインコンタクト上の所定の箇所で前記ドレインコンタクトに接続する各々のドレイン線を挟み位置決め固定しながら前記各々のドレインコンタクト同士を一体的に接続することを特徴とするコネクタ。
【請求項４】
前記接続部に備えられたドレインコンタクトはドレイン線を位置決めする溝部を備え、シグナルコンタクトはシグナル線を位置決めする溝部を備えたことを特徴とする請求項３記載のコネクタ。
【請求項５】
前記コンタクト支持部材はシグナルコンタクトを固定するとともにシグナル線を位置決めする溝部を備えたことを特徴とする請求項３記載のコネクタ。
【請求項６】
前記コモンコンタクトの溝部は２つの溝部構成平面が所定の角度で交わるＶ溝形状、又は円柱面により構成されるＲ溝形状であることを特徴とする請求項３、４又は５記載のコネクタ。
【発明の詳細な説明】
【０００１】
【発明の属する技術分野】
この発明はコネクタ（例えば高速伝送用コネクタ）に関し、さらに詳細には、従来の溶接用コネクタの構造にコネクタ上で各ドレインコンタクトをコモン（ＣＯＭＭＯＮ）にする機能を加えたコネクタに関する。
【０００２】
【従来の技術】
従来のコネクタ（例えば高速伝送用コネクタ）は各シグナルコンタクト及び各ドレインコンタクトがコネクタ上ではすべて独立している。そして、この種のケーブルとコネクタ接続におけるコモンコンタクトは、相手側で行ったり、コネクタ側のパドル内部にコモン層を設けたりして行っている。
【０００３】
図８を参照する。図８（Ａ）に示すようにセラミックを材料としたコンタクト支持部材８０１Ａのフラットな平面上にドレインコンタクト８０３Ａと、シグナルコンタクト８０７Ａとが所定の位置に固定されている（これらは複数支持されている）。そして、ドレインコンタクト８０３Ａにはドレイン線８０５Ａが接続されている。シグナルコンタクト８０７Ａにはシグナル線８０９Ａが接続されている。図８（Ｂ）は接続部を上方向から見たものである。モールド部８０１Ｂに位置決めされドレインコンタクト８０３Ｂと、シグナルコンタクト８０５Ｂとが固定されている。図８（Ｃ）は接続部を横方向から見たものである。コンタクト支持部材８０１Ｃにドレインコンタクト８０３Ｃと、シグナルコンタクト８０５Ｃ、８０７Ｃが支持されている。
【０００４】
【発明が解決しようとする課題】
各シグナルコンタクト及びドレインコンタクトがコネクタ上ではすべて独立している（ただしレセ側でドレインコンタクトはすべてコモンとなる）。シグナルコンタクトについては独立していることが必須条件だが、ドレインコンタクトはすべて等電位になることが理想であり、高速伝送用コネクタではよりコネクタ上でコモン（ＣＯＭＭＯＮ）となっていることが理想である。現在、半田用コネクタではコネクタ上ですべてのドレインコンタクトがコモンとなっている。
【０００５】
しかし、そのいずれも複雑なコネクタ構造を有するという問題があった。また、個々に接続を行うので各々の信号線間の特性バラツキが発生しやすいという問題があった。
【０００６】
【課題を解決するための手段】
本発明は、前述のごとき問題に鑑みてなされたもので、請求項１に係る発明はドレインコンタクトと、シグナルコンタクトとを接続部に複数備えたコネクタにおいて、
前記ドレインコンタクトと、前記シグナルコンタクトとはそれぞれ前記接続部に設けられたコンタクト支持部材により支持され、前記各々のドレインコンタクト同士は、棒状の導体であるコモンコンタクトにドレインコンタクト上の所定の箇所で一体的に接続されるコネクタである。これにより、簡単な構造でドレインコンタクト同士を接続できる。
【０００７】
請求項２に係る発明は、前記コモンコンタクトが接触する前記ドレインコンタクトの所定の箇所に溝部を設けた上記コネクタである。
【０００８】
請求項３に係る発明は、ドレインコンタクトと、シグナルコンタクトとを接続部に複数備えたコネクタにおいて、
前記ドレインコンタクトと、前記シグナルコンタクトとはそれぞれ前記接続部に設けられたコンタクト支持部材により支持され、
棒状の導体であるコモンコンタクトはドレインコンタクト上の所定の箇所で前記ドレインコンタクトに接続する各々のドレイン線を挟み位置決め固定しながら前記各々のドレインコンタクト同士を一体的に接続するコネクタである。これにより、ドレイン線を固定しながらドレインコンタクト同士を接続することができる。
【０００９】
請求項４に係る発明は、前記接続部に備えられたドレインコンタクトはドレイン線を位置決めする溝部を備え、シグナルコンタクトはシグナル線を位置決めする溝部を備えた上記コネクタである。
【００１０】
請求項５に係る発明は、前記コンタクト支持部材はシグナルコンタクトを固定するとともにシグナル線を位置決めする溝部を備えた上記コネクタである。
【００１１】
請求項６に係る発明は、前記コモンコンタクトの溝部は２つの溝部構成平面が所定の角度で交わるＶ溝形状、又は円柱面により構成されるＲ溝形状であるコネクタである。これにより、ドレイン線の位置決めを容易に行うことができる。
【００１２】
【発明の実施の形態】
本発明の実施の形態を、図面を参照して説明する。
【００１３】
図１は接続部１の斜視図である。前記接続部１は所定の接合構造を備えている。すなわち、コンタクト支持部材３が備えられている。そして、このコンタクト支持部材３には複数のドレインコンタクトと、複数のシグナルコンタクトとが支持されている。
【００１４】
すなわち、前記コンタクト支持部材３に支持されたドレインコンタクト５から所定の間隔にドレインコンタクト７が支持されている。さらに、このドレインコンタクト７から等間隔にドレインコンタクト９が支持されている（すなわち、ドレインコンタクト５の厚みの中心と、ドレインコンタクト７の厚みの中心との距離ＤＡは、ドレインコンタクト７の厚みの中心と、ドレインコンタクト９の厚みの中心との距離ＤＢに等しい）。
【００１５】
図１においては図示していないが、このように所定の数分のドレインコンタクトが前記コンタクト支持部材３に等間隔に取り付けられている。ここで、前記コンタクト支持部材３は、セラミックを材質とするが、例えば、磁器、陶器のような耐熱性を備えたものでよい。電気溶接の際に発生する熱に対して強くコスト面からも経済的であるからである。
【００１６】
シグナルコンタクト１１はコンタクト支持部材３に支持されている。シグナルコンタクト１３はコンタクト支持部材３に支持されている。このシグナルコンタクト１１と、シグナルコンタクト１３とはドレインコンタクト５と、ドレインコンタクト７の中間に２箇所（一方の端面側と他方の端面側）に備えられている（すなわちドレインコンタクト５の厚み中心と、シグナルコンタクト１１、１３の中心の距離ＤＣと、ドレインコンタクト７の厚みの中心とシグナルコンタクト１１、１３の中心の距離ＤＤとは等しい）。このような、位置関係を有するシグナルコンタクトが所定の数分前記コンタクト支持部材３に備えられている。
【００１７】
そして、上述した各々のドレインコンタクトに接続する棒状の導体であるコモンコンタクト１５がドレインコンタクト５の面１７上に設けられた溝部１９（ここでは、溝部１９は面２１と面２３とにより構成されるＶ溝形状である）に固定されている。このように、各々のドレインコンタクトに設けられた溝部にコモンコンタクトが固定されドレインコンタクトを一体的に接続させている。これにより、各々のドレインコンタクトは全て等電位になる。また、各々のドレインコンタクトもコモンコンタクト１５に固定されるのでコンタクト間が動いてしまうことによる伝送特性への影響が少なくなる。
【００１８】
図２はドレインコンタクト５とシグナルコンタクト１１、１３とをコンタクト支持部材３に取り付ける方法と、コモンコンタクト１５をドレインコンタクト５に取り付ける方法とを示している。すなわち、前記ドレインコンタクト５は、矢印ＡＲ３の方向からコンタクト支持部材３に固定される。前記シグナルコンタクト１１は矢印ＡＲ５の方向からコンタクト支持部材３に固定される。
【００１９】
さらに、前記シグナルコンタクト１３は矢印ＡＲ６の方向からコンタクト支持部材３に固定される。図示していないがこのような方法で複数のドレインコンタクトと、複数のシグナルコンタクトがコンタクト支持部材３に支持され固定される。そして、前記ドレインコンタクト５上にある溝部１９等に矢印ＡＲ４方向にコモンコンタクト１５が位置決めされ固定される。
【００２０】
図３はコモンコンタクトを接続部１（図１参照）に備えるパターンを示している。図３（Ａ）を参照する（図１において、接続部１を矢印ＡＲ１方向から見たときの側面図である）。接続部１はドレインコンタクト３０３Ａと、シグナルコンタクト３０５Ａとがコンタクト支持部材３０１Ａに複数支持されている。このように支持された複数のドレインコンタクトがコモンコンタクト３０７Ａにより一体的に接続されている。
【００２１】
図３（Ｂ）は図１において接続部１を矢印ＡＲ２方向から見た側面図である。ここでは、コモンコンタクトが一方の側に設けられた例を示している。すなわち、ドレインコンタクト３０１Ｂに設けられた溝部３０３Ｂにコモンコンタクト３０５Ｂが位置決め固定されている。このコモンコンタクト３０５Ｂはモールド部３０７Ｂに近いところに固定されることが望ましい。ドレイン線を十分なスペースに配置できるからである。
【００２２】
図３（Ｃ）はコモンコンタクトが一方の側と他方の側とに設けられた接続部１の例である。すなわち、ドレインコンタクト３０１Ｃに設けられた一方の側の溝部３０３Ｃにコモンコンタクト３０５Ｃが位置決め固定されている。また、このドレインコンタクト３０１Ｃの他方の側に設けられた溝部３０７Ｃにコモンコンタクト３０９Ｃが位置決め固定されている。
【００２３】
このように、一方の側と他方の側とにコモンコンタクト３０５Ｃとコモンコンタクト３０９Ｃとを取り付けることにより、ドレインコンタクトの固定がより確実にできるという効果がる。また、溝部３０３Ｃ、３０７Ｃはモールド部３１１Ｃに近いところに設けてある。これにより、ドレイン線を十分なスペースに配置できる。
【００２４】
図３（Ｄ）はコモンコンタクトが一方の側と他方の側とに設けられた接続部の例を示している。すなわち、ドレインコンタクト３０１Ｄの一方の側に設けられ溝部３０３Ｄにコモンコンタクト３０５Ｄが圧入され固定されている。また、このドレインコンタクト３０１Ｄの他方の側に設けられた溝部３０７Ｄにコモンコンタクト３０９Ｄが圧入され固定されている。この溝部３０３Ｄと溝部３０７Ｄとは凹形状である。なお、半田、溶接等により固定されてもよい。
【００２５】
このように、一方と他方の側にコモンコンタクトを取り付けることにより、ドレインコンタクトの固定がより確実にできるという効果がる。また、溝部３０３Ｄ、３０７Ｄはモールド部３１１Ｄに近いところに設けてある。これにより、ドレイン線を配置するスペースを十分にとることができる。
【００２６】
図４を参照する。接続部４０１の斜視図である。前記接続部４０１は所定の接合構造を備えている。すなわち、コンタクト支持部材４０３が備えられている。そして、このコンタクト支持部材４０３には複数のドレインコンタクトと、複数のシグナルコンタクトとが支持されている。
【００２７】
すなわち、前記コンタクト支持部材４０３に支持されたドレインコンタクト４０５から等間隔にドレインコンタクト４０７が支持されている。さらに、このドレインコンタクト４０７から等間隔にドレインコンタクト４０９が支持されている（ここで、距離関係は図１において示したものと同じである）。
【００２８】
図４においては図示していないが、このように所定の数分のドレインコンタクトが前記コンタクト支持部材４０３に等間隔に取り付けられている。ここで、前記コンタクト支持部材４０３は、セラミックを材質とするが、例えば、磁器、陶器のような耐熱性を備えたものでよい。電気溶接の際に発生する熱に対して強くコスト面からも経済的であるからである。
【００２９】
シグナルコンタクト４１１はコンタクト支持部材４０３支持されている。シグナルコンタクト４１３はコンタクト支持部材４０３に支持されている。このシグナルコンタクト４１１と、シグナルコンタクト４１３とはドレインコンタクト４０５と、ドレインコンタクト４０７の中間に２箇所（一方の端面側と他方の端面側）備えられている（距離関係は図１において示したものと同じである）。このような、位置関係を有するシグナルコンタクトが所定数前記コンタクト支持部材４０３に備えられている。
【００３０】
一方、各々のドレインコンタクトを一体的に接続する棒状の導体であるコモンコンタクト４２１は固定用の溝部４２３、４２５、４２７等を設けている。
【００３１】
そして、ドレインコンタクトの面と溝部４２３によりドレイン線４１５を固定するとともにドレインコンタクトに接続する役割を果たしている。
【００３２】
このように、ドレイン線４１７は溝部４２５により位置決め固定されている。また、ドレイン線４１９は溝部４２７により位置決め固定されている。
【００３３】
これにより、各々のドレインコンタクトが一体的に接続される。さらに、各ドレインコンタクトも固定されるのでコンタクト間が動いてしまうことによる伝送特性への影響が少なくなる。
【００３４】
図５を参照する。接続部５０１の斜視図である。前記接続部５０１は所定の接合構造を備えている。すなわち、コンタクト支持部材５０３が備えられている。そして、このコンタクト支持部材５０３には複数のドレインコンタクトと、複数のシグナルコンタクトとが支持されている。
【００３５】
すなわち、前記コンタクト支持部材５０３に支持されたドレインコンタクト５０５から等間隔にドレインコンタクト５０７が支持されている。さらに、このドレインコンタクト５０７から等間隔にドレインコンタクト５０９が支持されている（ここで、距離関係は図１において示したものと同じである）。
【００３６】
図５においては図示していないが、このように所定数のドレインコンタクトが前記コンタクト支持部材５０３に等間隔に取り付けられている。
【００３７】
シグナルコンタクト５１１はコンタクト支持部材５０３支持されている。シグナルコンタクト５１３はコンタクト支持部材５０３に支持されている。このシグナルコンタクト５１１と、シグナルコンタクト５１３とはドレインコンタクト５０５と、ドレインコンタクト５０７の中間に２箇所（一方の端面側と他方の端面側）備えられている（距離関係は図１において示したものと同じである）。このような、位置関係を有するシグナルコンタクトが所定数前記コンタクト支持部材５０３に備えられている。
【００３８】
一方、各々のドレインコンタクトを接続する棒状の導体であるコモンコンタクト５２１は固定用の溝部５２３、５２５、５２７等を設けている。
【００３９】
そして、ドレインコンタクトの溝部５１７と前記溝部５２３によりドレイン線５１９を固定するとともに各ドレインコンタクトを一体的に接続する。同様にドレイン線５３１は溝部５２５と、溝部５２９とにより位置決め固定されている。ドレイン線５３５は溝部５２７と、溝部５３３とにより位置決め固定されている。
【００４０】
これにより、ドレインコンタクトが一体的に接続ができる。さらに、各ドレインコンタクトも固定されるのでコンタクト間が動いてしまうことによる伝送特性への影響が少なくなる。
【００４１】
なお、前記シグナルコンタクト５１１は溝部５３９によりシグナル線５３７を位置決め固定する。また、前記シグナルコンタクト５１３の溝部５４１はシグナル線５４３を位置決め固定する。これにより、グランド線、シグナル線の位置関係が正確になりクロストーク等の影響を低減させることができる。
【００４２】
図６を参照する。接続部６０１の斜視図である。前記接続部６０１は所定の接合構造を備えている。すなわち、コンタクト支持部材６０３が備えられている。そして、このコンタクト支持部材６０３には複数のドレインコンタクトと、複数のシグナルコンタクトとが支持されている。
【００４３】
すなわち、前記コンタクト支持部材６０３に支持されたドレインコンタクト６０５から等間隔にドレインコンタクト６０７が支持されている。さらに、このドレインコンタクト６０７から等間隔にドレインコンタクト６０９が支持されている（ここで、距離関係は図１において示したものと同じである）。
【００４４】
図６においては図示していないが、このように所定の数分のドレインコンタクトが前記コンタクト支持部材６０３に等間隔に取り付けられている。
【００４５】
シグナルコンタクト６１１はコンタクト支持部材６０３に支持されている。シグナルコンタクト６１３はコンタクト支持部材６０３に支持されている。このシグナルコンタクト６１１と、シグナルコンタクト６１３とはドレインコンタクト６０５と、ドレインコンタクト６０７の中間に２箇所（一方の端面側と他方の端面側）備えられている（距離関係は図１において示したものと同じである）。このような、位置関係を有するシグナルコンタクトが所定の数分前記コンタクト支持部材６０３に備えられている。
【００４６】
一方、各々のドレインコンタクトを一体的に接続する導体であるコモンコンタクト６１９は固定用の溝部６２１、６２３、６２５等を設けている。
【００４７】
そして、ドレインコンタクト６０５の面と溝部６２１とによりドレイン線６２７を固定するとともにドレインコンタクト６０５に接続する役割を果たしている。同様にドレイン線６２９はドレインコンタクト６０７の面と溝部６２３により位置決め固定されている。ドレイン線６３１はドレインコンタクト６０９の面と溝部６２５により位置決め固定されている。
【００４８】
なお、コンタクト支持部材６０３の溝部６１５によりシグナルコンタクト６１１を固定するとともにシグナル線６３３を位置決めする。また、コンタクト支持部材６０３の溝部６１７によりシグナルコンタクト６１３を固定するとともにシグナル線６３５を位置決めする。これにより、グランド線、シグナル線の位置関係が正確になりクロストーク等の影響を低減させることができる。
【００４９】
図７はドレイン線又はシグナル線を位置決め固定する溝部の形状の種類を示している（図４においては矢印ＡＲ７方向から見た場合、図５においては矢印ＡＲ８方向から見た場合、図６においては矢印ＡＲ９方向から見た場合である）。
【００５０】
図７（Ａ）を参照する。コモン（ＣＯＭＭＯＮ）コンタクトに設けられた溝部の形状を示している。すなわち、溝部７０１Ａは溝部構成平面７０３Ａと溝部構成平面７０５Ａが所定の角度で交わりＶ溝形状を構成している。この溝部７０１Ａにドレイン線７０７Ａが前記溝部構成平面７０３Ａとの接触部７０９Ａと前記溝部構成平面との接触部７１１Ａとにより位置決め固定されている。
【００５１】
ここで、溝部７０１ＢはＶ溝形状であるのでケーブルの径の変化（例えばφ０．３ｍｍ〜φ０．５ｍｍ）に対しても溝部の形状を変えなくて確実に位置決め固定することができる。すなわち、ケーブルの径が変化しても上述した接触部７０３Ａと、接触部７１１Ａの位置が溝部構成平面７０３Ａと、溝部構成平面７０５Ａ上で変化するので位置決めが可能である。また、溝部構成平面７０３Ａと、溝部構成平面７０５Ａとの角度を変化させることにより、さらにケーブルの径の太さ等に対応し、正確に位置決めを行うことができる。例えば、角度の値を大きく（９０度以上）した場合、さらに太いケーブルの位置決めを行うことができる。加工も鋭角に比べて簡単なため加工工数も削減できる。一方、角度の大きさを小さく（９０度未満）した場合、ケーブルの位置決めがより確実に行えるため溶接等の作業がより容易に行える。
【００５２】
図７（Ｂ）は溝部が円柱面であるＲ溝形状の場合を示している。すなわち、溝部７０１Ｂは半径Ｒ２の円柱面７０３Ｂを備えている。そして、ケーブル（例えば、半径Ｒ１）７０５Ｂを位置決め固定している。ここで、前述の半径Ｒ１と半径Ｒ２とがほぼ一致することによりケーブルと、端子（例えば、ドレインコンタクト、シグナルコンタクト等）との接触面積がより大きくなるため確実なケーブルの接続ができ接触不良等が回避される。
【００５３】
図７（Ｃ）はシグナルコンタクトを固定し、さらに、このシグナルコンタクトに接触させながらシグナル線を位置決めする溝部７０１Ｃを示している（図６に示す接続部６０１を参照）。すなわち、溝部７０１Ｃは溝部構成面７０３Ｃと、溝部構成平面７０５Ｃと、溝部構成平面７０７Ｃにより凹形状溝を構成している。この溝部７０１Ｃにシグナルコンタクト７０９Ｃが固定されている。そして、このシグナルコンタクト７０９Ｃに接触させながら接触部７１３Ｃ、接触部７１５Ｃ及び接触部７１７Ｃによりシグナル線７１１Ｃが位置決めされる。
【００５４】
なお、本発明は、上述した実施の態様の例に限定されることなく、適宜の変更を加えることにより、その他の態様で実施できるものである。
【００５５】
【発明の効果】
上述の如く本発明によれば、例えば、ドレインコンタクトにコモン（ＣＯＭＭＯＮ）コンタクトを挿入する溝を形成し、コモンコンタクトを挿入するだけで、容易にドレインコンタクトをコモンにすることが可能である（例えば、半田用コネクタではパドル内部にコモン層を設けているため、複雑なコネクタ構造となっている）。
【００５６】
また、各ドレインコンタクトがコモンコンタクトによって固定されるため、コンタクト間が動いてしまうことによる伝送特性への影響が少なくなる。
【００５７】
そして、導体の上からコモン機構を取り付ける事で、コネクタの固定が容易になるという効果がある。コモンになっている上に位置決め機構が備わっているため作業性も向上するという効果がある。コネクタ構造をほぼ現状のまま変更せず、コモン機構を取り付けることが可能になるという効果がある。
【図面の簡単な説明】
【図１】コネクタの接続部の斜視図である。
【図２】コネクタの接続部の組み立て方法を説明する説明図である。
【図３】コモンコンタクトを説明する説明図である。
【図４】コネクタの接続部の斜視図である。
【図５】コネクタの接続部の斜視図である。
【図６】コネクタの接続部の斜視図である。
【図７】（Ａ）、（Ｂ）、（Ｃ）は溝部の機能を説明する説明図である。
【図８】（Ａ）、（Ｂ）、（Ｃ）は従来例を説明する説明図である。
【符号の説明】
１　接続部
３　コンタクト支持部材
５　ドレインコンタクト
７　ドレインコンタクト
９　ドレインコンタクト
１１　シグナルコンタクト
１３　シグナルコンタクト
１５　コモンコンタクト
１９　溝部
【図１】
2004079376.tif 000003
【図２】
2004079376.tif 000004
【図３】
2004079376.tif 000005
【図４】
2004079376.tif 000006
【図５】
2004079376.tif 000007
【図６】
2004079376.tif 000008
【図７】
2004079376.tif 000009
【図８】
2004079376.tif 000010